(57)【要約】【課題】  シミュレーションによる色再現状態をより忠実にすることのできる制御装置を提供する。【解決手段】  ターゲットとなる印刷機によって印刷されたパッチパターン画像の各パッチを測色した結果の入力を受けて、所定特徴量を演算し、当該所定特徴量に基づいて、シミュレートを行う画像形成装置の制御情報を生成し、この制御情報によって制御された画像形成装置によって形成されたパッチパターン画像の各パッチを測色した結果の入力を受けて、当該画像形成装置の色再現状態を調整する色変換情報を生成し、これら色変換情報と制御情報とを含むプロファイル情報を生成して出力する制御装置である。【選択図】        図１
2006085639.tif 000002
【特許請求の範囲】
【請求項１】
ターゲットとなる印刷機での印刷結果を、画像形成装置においてシミュレートする際に用いるプロファイルデータを生成する制御装置であって、
前記ターゲットとなる印刷機によって印刷されたパッチパターン画像の各パッチを測色した結果の入力、または印刷機の色特性を記したデータファイルの入力を受けて、所定特徴量を演算する手段と、
前記所定特徴量に基づいて、シミュレートを行う画像形成装置の制御情報を生成する手段と、
前記制御情報によって制御された画像形成装置によって形成されたパッチパターン画像の各パッチを測色した結果の入力を受けて、当該画像形成装置の色再現状態を調整する色変換情報を生成する手段と、
前記色変換情報と、前記制御情報とを含む情報を、プロファイル情報として生成して出力する手段と、
を含むことを特徴とする制御装置。
【請求項２】
請求項１に記載の制御装置において、
前記画像形成装置の制御情報には、画像形成装置における画像形成条件の情報が含まれることを特徴とする制御装置。
【請求項３】
請求項１または２に記載の制御装置において、
前記所定特徴量は、前記ターゲットとなる印刷機によってパッチパターン画像を印刷する際に用いられた各単色インキのベタ濃度と、パッチパターン画像が印刷された用紙の地色に関する情報を含むことを特徴とする制御装置。
【請求項４】
ターゲットとなる印刷機での印刷結果を、画像形成装置においてシミュレートする際に用いるプロファイルデータを生成する方法であって、
前記ターゲットとなる印刷機によって印刷されたパッチパターン画像の各パッチを測色した結果の入力、または印刷機の色特性を記したデータファイルの入力を受けて、所定特徴量を演算する工程と、
前記所定特徴量に基づいて、シミュレートを行う画像形成装置の制御情報を生成する工程と、
前記制御情報によって制御された画像形成装置によって形成されたパッチパターン画像の各パッチを測色した結果の入力を受けて、当該画像形成装置の色再現状態を調整する色変換情報を生成する工程と、
前記色変換情報と、前記制御情報とを含む情報を、プロファイル情報として生成して出力する工程と、
を含むことを特徴とするプロファイルデータの生成方法。
【請求項５】
ターゲットとなる印刷機での印刷結果を、画像形成装置においてシミュレートする際に用いるプロファイルデータであって、
前記シミュレートを行う画像形成装置の制御情報と、当該画像形成装置の色再現状態を調整する色変換情報と、を含むことを特徴とするプロファイルデータ。
【請求項６】
コンピュータに、
ターゲットとなる印刷機での印刷結果を、画像形成装置においてシミュレートする際に用いるプロファイルデータを生成させるプログラムであって、
前記ターゲットとなる印刷機によって印刷されたパッチパターン画像の各パッチを測色した結果の入力、または印刷機の色特性を記したデータファイルの入力を受けて、所定特徴量を演算する手順と、
前記所定特徴量に基づいて、シミュレートを行う画像形成装置の制御情報を生成する手順と、
前記制御情報によって制御された画像形成装置によって形成されたパッチパターン画像の各パッチを測色した結果の入力を受けて、当該画像形成装置の色再現状態を調整する色変換情報を生成する手順と、
前記色変換情報と、前記制御情報とを含む情報を、プロファイル情報として生成して出力する手順と、
をコンピュータに実行させることを特徴とするプログラム。
【発明の詳細な説明】
【技術分野】
【０００１】
本発明は、プリンタや複合機などの画像形成装置によって利用されるプロファイル情報を生成する制御装置に関する。
【背景技術】
【０００２】
近年では、印刷機における色再現状態を、カラープリンタなどでシミュレートし、色校正の工程を簡便にする、いわゆるプリンタカラープルーフィング技術が検討されている。具体的には、印刷機における印刷用に生成された分版（一般にはシアン（Ｃ）、マゼンタ（Ｍ）、イエロー（Ｙ）、ブラック（Ｋ）の４色の各版）データに基づいて、カラープリンタにおけるインクで同等の色再現を行うための色変換を行うことになる。この色変換は、一般にプロファイルデータと呼ばれるデータを利用して行われる（例えば非特許文献１）。
【非特許文献１】伊藤哲他著、「カラー図解ＤＴＰ＆印刷スーパーしくみ事典」、２００４年度版、株式会社ワークスコーポレーション、２００４年２月２６日発行、２７０から２７１ページ
【発明の開示】
【発明が解決しようとする課題】
【０００３】
しかしながら、上記従来のプリンタカラープルーフィング技術では、一般に印刷機のインキの色の濃度と、プリンタのインクの色の濃度とが異なるために、例えば印刷機では単色で表現されていた色が、プリンタにおいては単色で表現されず、例えば本来イエロー単色であるべき色に、マゼンタの網点が浮いて見えることがあった。
【０００４】
また、黒ベタ（１００％の黒）で印刷されるべき部分が、プリンタでは、黒の網点（例えば８０％程度のベタではない画像）として出力されてしまう場合もあった。
【０００５】
本発明は上記実情に鑑みて為されたもので、シミュレーションによる色再現状態をより忠実にすることのできる制御装置を提供することを、その目的の一つとする。
【課題を解決するための手段】
【０００６】
上記従来例の問題点を解決するための本発明は、ターゲットとなる印刷機での印刷結果を、画像形成装置においてシミュレートする際に用いるプロファイルデータを生成する制御装置であって、前記ターゲットとなる印刷機によって印刷されたパッチパターン画像の各パッチを測色した結果の入力、または印刷機の色特性を記したデータファイルの入力を受けて、所定特徴量を演算する手段と、前記所定特徴量に基づいて、シミュレートを行う画像形成装置の制御情報を生成する手段と、前記制御情報によって制御された画像形成装置によって形成されたパッチパターン画像の各パッチを測色した結果の入力を受けて、当該画像形成装置の色再現状態を調整する色変換情報を生成する手段と、前記色変換情報と、前記制御情報とを含む情報を、プロファイル情報として生成して出力する手段と、を含むことを特徴としている。
【０００７】
ここで前記画像形成装置の制御情報には、画像形成装置における画像形成条件の情報が含まれることとしてもよい。また、前記所定特徴量は、前記ターゲットとなる印刷機によってパッチパターン画像を印刷する際に用いられた各単色インキのベタ濃度と、パッチパターン画像が印刷された用紙の地色に関する情報を含んでもよい。
【０００８】
こうして作成されるプロファイルデータは、ターゲットとなる印刷機での印刷結果を、画像形成装置においてシミュレートする際に用いるプロファイルデータであって、前記シミュレートを行う画像形成装置の制御情報と、当該画像形成装置の色再現状態を調整する色変換情報と、を含む。
【０００９】
このように色変換情報だけでなく、画像形成装置における制御の情報をプロファイルデータに含めることで、シミュレーションによる色再現状態をより忠実にできる。
【００１０】
また、本発明の一態様は、ターゲットとなる印刷機での印刷結果を、画像形成装置においてシミュレートする際に用いるプロファイルデータを生成する方法であって、前記ターゲットとなる印刷機によって印刷されたパッチパターン画像の各パッチを測色した結果の入力、または印刷機の色特性を記したデータファイルの入力を受けて、所定特徴量を演算する工程と、前記所定特徴量に基づいて、シミュレートを行う画像形成装置の制御情報を生成する工程と、前記制御情報によって制御された画像形成装置によって形成されたパッチパターン画像の各パッチを測色した結果の入力を受けて、当該画像形成装置の色再現状態を調整する色変換情報を生成する工程と、前記色変換情報と、前記制御情報とを含む情報を、プロファイル情報として生成して出力する工程と、を含むことを特徴としている。
【００１１】
さらに本発明の別の態様は、コンピュータに、ターゲットとなる印刷機での印刷結果を、画像形成装置においてシミュレートする際に用いるプロファイルデータを生成させるプログラムであって、前記ターゲットとなる印刷機によって印刷されたパッチパターン画像の各パッチを測色した結果の入力、または印刷機の色特性を記したデータファイルの入力を受けて、所定特徴量を演算する手順と、前記所定特徴量に基づいて、シミュレートを行う画像形成装置の制御情報を生成する手順と、前記制御情報によって制御された画像形成装置によって形成されたパッチパターン画像の各パッチを測色した結果の入力を受けて、当該画像形成装置の色再現状態を調整する色変換情報を生成する手順と、前記色変換情報と、前記制御情報とを含む情報を、プロファイル情報として生成して出力する手順と、をコンピュータに実行させることを特徴としている。
【発明を実施するための最良の形態】
【００１２】
本発明の実施の形態について図面を参照しながら説明する。本発明の実施の形態に係る制御装置は、図１に示すように、制御部１１と、記憶部１２と、操作部１３と、表示部１４と、測色結果入力部１５と、通信部１６とを含んで構成されている。また、この制御装置は、画像形成装置としてのプリンタＰＲＴに接続されている。
【００１３】
制御部１１は、ＣＰＵを用いて実現される。この制御部１１は、記憶部１２に格納されているプログラムに従って動作する。本実施の形態では、制御部１１は、ターゲットとする印刷機での印刷結果を、プリンタＰＲＴにてシミュレートする際に用いるプロファイルデータを生成する処理を行う。この制御部１１の具体的な処理の内容については後に詳しく述べる。
【００１４】
記憶部１２は、ＲＡＭ（Random Access Memory）などの記憶素子や、ハードディスクなどのディスクデバイスなど、コンピュータ可読な記録媒体を含んで構成される。この記憶部１２には、制御部１１によって実行されるプログラムが格納されている。また、この記憶部１２は、制御部１１のワークメモリとしても動作する。
【００１５】
操作部１３は、キーボードやマウスなどであり、利用者の操作を受け入れて、当該操作の内容を制御部１１に出力する。表示部１４は、ディスプレイなどであり、制御部１１から入力される指示に従って情報を表示する。
【００１６】
測色結果入力部１５には、測色機が接続されており、当該測色機から入力される情報を制御部１１に出力する。通信部１６は、例えばＵＳＢ（Universal Serial Bus）ポートなどであり、プリンタＰＲＴに接続されている。
【００１７】
ここで制御部１１によるプロファイルデータの生成処理の具体的な内容について説明する。この処理は、前処理と、後処理との２つに分かれて実行される。そこで、以下では前処理と後処理とに分けて順次説明する。まず、前処理について説明する。
【００１８】
前処理では、ターゲットとなる印刷機で印刷されたパッチパターン画像の各パッチの測色結果の入力を要する。すなわち利用者は予め、ターゲットとなった印刷機によって印刷されたパッチパターン画像を入手して、当該パッチパターン画像に含まれる各パッチの色を測色機にて測定する。ここでパッチパターン画像とは、予め規定されている色のセットに基づき、当該セットに含まれる各色のパッチ（例えば複数の矩形のそれぞれを各色で塗りつぶしたもの）を配列したものである。また用紙の地色（無色、つまりインキが乗っていない部分）がこのパッチパターン画像に含まれてもよい。
【００１９】
制御部１１は、測色結果入力部１５からターゲットとなる印刷機で印刷されたパッチの測色結果（ターゲット測色結果と呼ぶ）を受け入れて、記憶部１２に格納する。そして、このターゲット測色結果に基づき、所定の特徴量を演算する。ここで所定の特徴量とは、ターゲットとなる印刷機で用いられる各単色インキのベタ濃度と、用紙の地色に関する情報を含む。
【００２０】
なお、ターゲットとなる印刷機の色特性等を記したＩＣＣプロファイル（International Color Consortium）等の一般的な特性データを測色データの代わりに用いてもよい。
【００２１】
そして制御部１１は、これら所定の特徴量に基づいてプリンタＰＲＴの制御情報を生成する。具体的にこの制御情報は、画像形成装置における画像形成条件の情報が含まれる。すなわち画像形成装置においては、その画像形成方式に応じた画像形成の条件を規定する情報がある。例えば、レーザービーム方式のプリンタの場合、現像部が吐出するインク（トナー）の濃度（現像トナー濃度）や、現像バイアス、トナーの帯電電位、ドラムから用紙へインクを転写する際に印加する転写電圧、ドラムに対するレーザービームの光量（露光量）などといった制御情報が定められており、プリンタのエンジン部分の設定に用いられているのである。本実施の形態では、制御部１１が、ターゲット測色結果に基づいて、この制御情報を生成してプロファイル情報に含めることになる。
【００２２】
ここでは具体的に、ターゲットにおける各単色インキのベタ濃度に対して、プリンタＰＲＴの各インクをベタで出力するときの濃度が近くなるよう、制御情報を変更する。これは例えば、図２に示すように、画像形成装置ごと（機種ごと、または個体ごと）に、ターゲットにおける各単色インキのベタ濃度に関連づけて、画像形成条件の設定値を実験的に定めたテーブルを記憶部１２に格納しておけばよい。制御部１１は、シミュレーションを行う画像形成装置（ここではプリンタＰＲＴ）に対応するテーブルを参照して、生成した特徴量であるターゲットにおける各単色インキのベタ濃度に関連づけられた画像形成条件の設定値を取得して、制御情報を生成する。
【００２３】
この制御情報は、当該制御情報に基づく設定を行うべき旨のコマンドとともに、通信部１６を介してプリンタＰＲＴに送信される。プリンタＰＲＴでは、このコマンドの入力を受けて、当該制御情報に含まれる画像形成条件の各設定値を、プリンタエンジンに設定する。これによって、プリンタＰＲＴにおける画像形成の状態は、上記生成された制御情報によって制御された状態となり、具体的にはプリンタＰＲＴでの単色インクのベタ濃度が、ターゲットにおいて対応する各単色インキのベタ濃度に近接した状態となる。
【００２４】
次に制御部１１の後処理について説明する。この後処理では、上記制御情報によって制御された画像形成装置によって形成されたパッチパターン画像の各パッチの測色結果の入力を要する。すなわち利用者は、上記制御情報に基づいてプリンタＰＲＴを設定した後、当該設定後のプリンタＰＲＴを操作して、パッチパターン画像を媒体（用紙など）に形成させる。そして、当該パッチパターン画像に含まれる各パッチの色を測色機にて測定する。
【００２５】
制御部１１は、測色結果入力部１５からプリンタＰＲＴで印刷されたパッチの測色結果（シミュレータ測色結果と呼ぶ）を受け入れて、記憶部１２に格納する。そして制御部１１は、記憶部１２に格納されているターゲット測色結果と、このシミュレータ測色結果とを比較して、色変換情報を生成する。この色変換情報の生成の処理は、従来のプロファイル情報の生成と同様であるので、その詳細な説明を省略する。
【００２６】
なお、色変換情報の生成処理においては、生成した色変換情報をプリンタＰＲＴに設定してさらにパッチパターン画像を形成させる処理と、当該形成されたパッチパターン画像を測色した結果を入力してターゲット測色結果と比較する処理と、を繰り返して実行してもよい。
【００２７】
制御部１１は、この処理で得た色変換情報と、プリンタＰＲＴに設定した制御情報とを含むプロファイル情報を生成する。すなわち、本実施の形態の制御装置が生成するプロファイル情報は、図３に示すように、シミュレートを行う画像形成装置（ここではプリンタＰＲＴ）における少なくとも一つの画像形成条件の設定値（Ｓ１，Ｓ２，Ｓ３…）を含む制御情報（Ｓ）と、当該画像形成装置の色再現状態を調整する色変換情報（Ｔ）と、を含む。
【００２８】
制御部１１は、このプロファイルデータを通信部１６などを介して、外部のパーソナルコンピュータなどに出力する。そして利用者は、ターゲットとなる印刷機のシミュレーションを、プリンタＰＲＴで行う際に、このプロファイルデータを利用してプリンタＰＲＴを設定することになる。
【００２９】
次に、このプロファイルデータを利用する際の手順について説明する。利用者は、利用しているパーソナルコンピュータのハードディスク等に、このプロファイルデータを格納しておく。具体的には、各プロファイルデータに対して、ターゲットとなっている印刷機を特定する情報と、シミュレーションを行う画像形成装置を特定する情報とを関連付けて格納しておく。なお、図１では、本実施の形態の制御装置とパーソナルコンピュータを別体の装置として図示したが、パーソナルコンピュータに測色機を接続するインタフェースをインストールするなどしておけば、パーソナルコンピュータが本実施の形態の制御装置として動作してもよい。
【００３０】
利用者は、プリンタＰＲＴを用いてシミュレーションを行う際には、パーソナルコンピュータを操作して、プリンタＰＲＴを特定する情報と、シミュレーションのターゲットとなる印刷機を特定する情報とに関連づけられているプロファイルデータを読み出させ、プリンタＰＲＴに設定させるべき旨の指示操作を行う。
【００３１】
すると、パーソナルコンピュータが、読み出したプロファイルデータに含まれる制御情報をプリンタＰＲＴに設定させるためのコマンドを生成し、当該コマンドをプリンタＰＲＴに送出する。また、このプロファイルデータに含まれる色変換情報をプリンタＰＲＴに設定させるためのコマンドを生成し、このコマンドもプリンタＰＲＴに送出させる。
【００３２】
プリンタＰＲＴは、これらのコマンドを受けて、制御情報に含まれる画像形成条件の設定値をプリンタエンジンに設定する。また、色変換情報を記憶する。
【００３３】
次に、利用者は、パーソナルコンピュータを操作して、画像形成処理の対象となる画像データをプリンタＰＲＴに送信する。プリンタＰＲＴは、この画像データを受信し、色変換情報に基づいて、当該画像データに含まれる色を変換する。そしてこの変換後の画像データを、上記制御情報によって制御された状態のプリンタエンジンにて印刷し、用紙上に画像を形成する。
【００３４】
このように、プリンタ状態を該プロファイルによって、設定してから所望のシミュレーションができるように使用することも可能であるが、所望のシミュレーションを行いたい画像データに、該プロファイルをＥｍｂｅｄして送信し、プリンタ制御部で該Ｅｍｂｅｄされたプロファイルより、画像形成条件の設定値を取り出して、都度プリンタを当該制御情報によって制御された状態にした上で、該画像データのプリンタ処理を実施してもよい。
【００３５】
本実施の形態では、プリンタのインクの色の濃度を、ターゲットとなった印刷機のインキの色濃度に近接するよう画像形成条件を制御する。これにより例えば印刷機では単色で表現されていた色は、プリンタにおいても、略単色で表現されるようになり、また黒ベタで印刷されるべき部分も、プリンタ側においても、黒の比較的ベタに近い網点として出力できるようになる。
【００３６】
このように本実施の形態によると、プリンタによる印刷シミュレーションによる色再現状態をより忠実に、好ましくすることができるようになる。
【図面の簡単な説明】
【００３７】
【図１】本発明の実施の形態に係る制御装置の一例を表す構成ブロック図である。
【図２】制御情報を定めるためのテーブルの例を表す説明図である。
【図３】本発明の実施の形態に係る制御装置が生成するプロファイルデータの一例を表す説明図である。
【符号の説明】
【００３８】
１１  制御部、１２  記憶部、１３  操作部、１４  表示部、１５  測色結果入力部、１６  通信部。
【図１】
2006085639.tif 000003
【図２】
2006085639.tif 000004
【図３】
2006085639.tif 000005